【事件の表示】
　平成６年特許願第４７０８２号「屈折率分布の測定方法」拒絶査定不服審判事件〔平成８年１０月１８日出願公開、特開平８−２７１３７９〕について、次のとおり審決する。
【結　論】
　本件審判の請求は、成り立たない。
【理　由】
１．手続の経緯、本願発明
　本願は、平成６年３月１７日の出願であって、その請求項１に係る発明は、平成１４年８月１２日付け手続補正書により補正された内容を含む明細書及び図面の記載からみて、請求項１に記載された事項によって特定される次のとおりのものである。
「【請求項１】　コア部とクラッド部とを有する光ファイバ母材に対して軸方向と垂直な方向から光を入射させ、その出射光の光パターンを解析して光ファイバ母材の屈折率分布を測定するに際し、該光ファイバ母材の径方向に順次段階的に移動させて測定点を定めながら測定する屈折率分布の測定方法において、該コア部の設計寸法と該コア部に対する許容限界寸法に若干の余裕を加えた寸法とを足した部分の測定点の段階幅を、該クラッド部の測定点の段階幅よりも小さくして測定することを特徴とする屈折率分布の測定方法。」
　
２．引用刊行物の記載事項
　これに対して、原査定の拒絶の理由に引用された刊行物１：特開平４−２０４２２９号公報には、以下の事項が記載されている。
(1a）「光ファイバ母材に、その軸（ｘ軸）に対して垂直のｚ方向から光ビームを入射して、出射する光ビームの屈折角を測定するとともに、前記光ビームの入射位置をｙ方向に順次移動することにより、前記屈折角の分布を求め、その屈折角分布から屈折率分布を求める、光ファイバ母材の屈折率測定方法において、前記光ファイバ母材のコア部分とその近傍のクラッド部分の範囲についてだけ、前記光ビームの入射による方法によって屈折角分布を求め、それから外側のクラッド部分については推定により補完して全体の屈折角分布を求める、光ファイバ母材の屈折率測定方法。」（第１頁左下欄５〜１７行）
(1b）「【産業上の利用分野】この発明は、光ファイバ母材の屈折率分布測定方法に関するものである。」（第１頁左下欄１９行〜右下欄１行）
(1c）「第１図のように、光ファイバ母材１０のコア部分１２とその近傍のクラッド部分１４ａの範囲についてだけ、前記光ビームの入射による方法によって屈折角分布を求める。」（第２頁左上欄１４〜１７行）
(1d）「光ファイバ母材１０は、同心円状に配置されたコア部分１２とクラッド部分１４とからなる。コア部分１２とクラッド部分１４との外径の比は、シングルモード光ファイバの場合、約１３程度である。また通常、クラッド部分１４は平坦な屈折率分布を有している。以上の事実から、光ファイバ母材の内部屈折率分布測定のためには、母材の中心付近の、コア部分１２とその近傍のクラッド部分１４ａのみを測定すれば、ほとんどすべてについて知ることとができ、その外側のクラッド部分１４ｂについては、コア近傍のクラッド部分１４ａとほぼ同じと推定してよい。」（第２頁右上欄１〜１４行）
(1e）「なお、クラッド／コア比が１３であるならば、測定範囲ｙは、光ファイバ母材１０の直径の１５％程度までとすればよいことが分かっている。」（第２頁左下欄４〜６行）
(1f）「第４図の実線部分は、この装置で測定した屈折角分布の一例である。なお、この場合は、直径に対して約２０％の部分を測定した。残りの破線部分は、光ビームの追跡を数値計算によって推定し、実線部分と接続して補完したものである。」（第２頁左下欄１１〜１７行）
(1g）「なお、この発明の方法により、従来の方法で４０分程度かかっていた測定を、ほぼ同程度の精度を確保したまま、５分で完了することができた。」（第２頁右下欄１３〜１５行）
が、それぞれ図面と共に記載されている。
　これらの記載から、刊行物１には
「光ファイバ母材に、その軸（ｘ軸）に対して垂直のｚ方向から光ビームを入射して、出射する光ビームの屈折角を測定するとともに、前記光ビームの入射位置をｙ方向に順次移動することにより、前記屈折角の分布を求め、その屈折角分布から屈折率分布を求める、光ファイバ母材の屈折率測定方法において、前記光ファイバ母材のコア部分とその近傍のクラッド部分の範囲についてだけ、前記光ビームの入射による方法によって屈折角分布を求め、それから外側のクラッド部分については推定により補完して全体の屈折角分布を求める、光ファイバ母材の屈折率測定方法。」
が記載されているものと認められる。
　　
３．対比・判断
　本願請求項１に係る発明（以下、「本願発明」という。）と刊行物１に記載の発明（以下、「引用発明」という。）とを対比すると、
引用発明における「光ファイバ母材」、「コア部分」、「クラッド部分」、「光ビーム」、「光ファイバ母材に、その軸（ｘ軸）に対して垂直のｚ方向から光ビームを入射」、および「屈折率分布を求める、光ファイバ母材の屈折率測定方法」が、それぞれ本願発明における「光ファイバ母材」、「コア部」、「クラッド部」、「光」、「光ファイバ母材に対して軸方向と垂直な方向から光を入射」、および「屈折率分布の測定方法」に相当し、
　また、引用発明において、「前記光ビームの入射位置をｙ方向に順次移動すること」は、光ビームの入射位置が測定点になるのであるから、本願発明の「光ファイバ母材の径方向に順次段階的に移動させて測定点を定め」ることに相当し、「出射する光ビームの屈折角を測定するとともに、前記光ビームの入射位置をｙ方向に順次移動することにより、前記屈折角の分布を求め、その屈折角分布から屈折率分布を求める」ことは、屈折角の分布パターンを解析して屈折率分布を求めることであるから、本願発明の、「その出射光の光パターンを解析して光ファイバ母材の屈折率分布を測定する」ことに相当する。
　それ故、本願発明と引用発明とは、
「コア部とクラッド部とを有する光ファイバ母材に対して軸方向と垂直な方向から光を入射させ、その出射光の光パターンを解析して光ファイバ母材の屈折率分布を測定するに際し、該光ファイバ母材の径方向に順次段階的に移動させて測定点を定めながら測定する屈折率分布の測定方法。」
である点で一致し、以下の点で相違する。
〈相違点ａ〉：本願発明においては、「該コア部の設計寸法と該コア部に対する許容限界寸法に若干の余裕を加えた寸法とを足した部分の測定点の段階幅を、該クラッド部の測定点の段階幅よりも小さくして測定する」のに対し、引用発明においては、「前記光ファイバ母材のコア部分とその近傍のクラッド部分の範囲についてだけ、前記光ビームの入射による方法によって屈折角分布を求め、それから外側のクラッド部分については推定により補完して全体の屈折角分布を求める」点。
　
　そこで、上記相違点ａについて検討する。
　一般的に、測定対象物の構造や形状が既知である場合、測定対象物の詳細な測定が必要となる部分においてのみ、測定間隔を密にして詳細な測定データを取得し、その他の部分においては比較的粗い間隔で測定を行い、測定時間の短縮を計ることは、測定分野における技術常識である。（例えば、特開平４−１９８７０５号公報「幅ｂ’が小さくなったときは、測定箇所が被測定物の後端に近づいたことであるため、ステップ＃７８でステージ２６の単位送り量を再び小さい値ｆ１に戻し、Ｘ方向に細かく座標を測定してゆく。」（第５頁左上欄４〜８行）、特開平４−１０４２０８号公報「大雑ぱな検出を行っている間はピッチ幅が大きいので、サーチを行なう回数が少なくなるので、検出にかかる時間を短縮することができる。更に、目標とする光パワーを検出する際はピッチ幅を細かくしているので、正確な場所を検出することができる。」（第２頁右下欄９〜１４行））。
　引用発明においては、光ファイバ母材を２つの範囲に分け、コア部分とその近傍のクラッド部分の範囲についてだけ測定を行い、その他のクラッド部分については測定を行わず推定によって補完している。その結果、従来の方法では４０分程度かかっていた測定をほぼ同程度の精度を確保したまま、５分に短縮している。
　このとき、引用発明においては、コア部分に関しては、余裕をみてその近傍のクラッド部分を含めた範囲としており、具体的には、クラッド／コア比が１３であるから、測定範囲ｙは、光ファイバ母材の直径の１５％程度でよいところを、余裕をみて直径の２０％の部分まで測定している。
　ここで、引用発明は、単に測定時間の短縮を計ることのみを目的としたものではないため、コア部分付近以外のクラッド部分については測定を行うことなく推定によって補完することとしているが、測定時間を短縮することを主たる目的とする場合には、上記光ファイバ母材の２つの範囲について上記技術常識である考え方を採用して、重要な部分の範囲、即ちコア部分とその近傍のクラッド部分、については詳細に測定し、それ以外のクラッド部分については大雑把な測定とすることによって、測定時間の短縮を計れることは容易に想到されることである。
　それ故、引用発明の光ファイバ母材の２つの部分について、コア部分とその近傍のクラッド部分を含む範囲については光ビームのｙ軸方向の移動の幅を小さくして測定を行い、その他のクラッド部分につては前記移動の幅をそれより大きくして測定することによって、測定時間の短縮を計り、本願発明の上記相違点ａに係る構成とすることは、当業者が上記技術常識に基づいて容易に想到できたことである。
　
４．むすび
　以上のとおりであるから、本願の請求項１に係る発明は、刊行物１に記載された発明および技術常識に基づいて当業者が容易に発明をすることができたものであるから、特許法第２９条第２項の規定により特許を受けることができない。
  よって、結論のとおり審決する。